(57)【要約】  【課題】  板材の片面から保護フィルムを剥離する装置の搬送系・駆動系の構成を簡単化・低コスト化する。  【解決手段】  セット台２１の上方の偏光板受けプレート２０と剥離プレート２７とに跨がって、保護フィルムを下向きにして偏光板２３を段積みすると共に、剥離プレート２７の上面側に粘着面を上向きにして引き出した粘着搬送テープ２６を、最下段の偏光板２３下面の保護フィルムのうちの偏光板受けプレート２０から突出する部分に貼り付け、この粘着搬送テープ２６を剥離プレート２７と一体的に搬送方向に移動させることで、最下段の偏光板２３を他の偏光板２３から分離して搬送する。これにより、偏光板２３を保護フィルム剥離位置まで搬送したところで該粘着搬送テープ２６を該偏光板２３の搬送方向と異なる方向に折り曲げるように引っ張ることで、該粘着搬送テープ２６に貼り付いた保護フィルムを該偏光板２３から剥離する。  【選択図】  図１
2006298502.tif 000002
【特許請求の範囲】
【請求項１】
片面に保護フィルムが貼り付けられた板材を段積みした板材段積み場所から該板材を１枚ずつ取り出して搬送し、所定位置で該板材から該保護フィルムを剥離して次工程の装置に供給する板材保護フィルム剥離装置において、
前記板材段積み場所で、前記保護フィルムを下向き又は上向きにして前記板材を段積みすると共に、前記保護フィルムが下向き又は上向きに露出する最下段又は最上段の板材を他の板材から分離して１枚ずつ搬送方向に取り出すための板材取出口を設け、
前記板材段積み場所で、前記最下段又は最上段の板材の下向き又は上向きに露出する前記保護フィルムに粘着搬送テープを貼り付け、この粘着搬送テープを搬送方向に駆動することで、前記最下段又は最上段の板材を他の板材から分離して搬送し、
前記粘着搬送テープにより前記板材を所定位置まで搬送したところで該粘着搬送テープを該板材の搬送方向と異なる方向に引っ張ることで、該粘着搬送テープに貼り付いた該保護フィルムを該板材から剥離することを特徴とする板材保護フィルム剥離装置。
【請求項２】
前記板材段積み場所の前記最下段又は最上段の板材に前記粘着搬送テープを介して剥離プレートを宛がうように設け、該剥離プレートを該板材の搬送方向に一定ピッチだけ送り動作することで、該剥離プレートと一体的に該粘着搬送テープを搬送方向に一定ピッチだけ送り、該粘着搬送テープを後戻りさせないように拘束した状態で該剥離プレートのみを元の位置に戻すという定ピッチ送り動作を繰り返して該板材を搬送し、該定ピッチ送り動作を所定回数繰り返すことで、該板材が保護フィルム剥離位置に到達することを特徴とする請求項１に記載の板材保護フィルム剥離装置。
【請求項３】
前記剥離プレートの送り方向の端部に、前記粘着搬送テープを前記板材の搬送方向と異なる方向に引っ張るための剥離エッジ部を形成し、該剥離プレートと一体的に該粘着搬送テープを搬送方向に一定ピッチだけ送った後、該粘着搬送テープを後戻りさせないように拘束した状態で該剥離プレートを元の位置に戻すことで、該粘着搬送テープが該剥離エッジ部に沿って折り曲げられるように引っ張られて該板材から前記保護フィルムが該粘着搬送テープと一体的に引き剥がされることを特徴とする請求項２に記載の板材保護フィルム剥離装置。
【請求項４】
前記最下段又は最上段の板材の保護フィルムの１つの角部を先頭にして搬送するように該保護フィルムに対して前記粘着搬送テープを斜め方向に貼り付けることを特徴とする請求項１乃至３のいずれかに記載の板材保護フィルム剥離装置。
【請求項５】
前記板材段積み場所で、前記保護フィルムを下向きにして前記板材を段積みするものにおいて、
セット台と剥離プレートとを搬送方向に並べて両者の上面が同一高さとなるように設置すると共に、これらセット台と剥離プレートを搬送方向とその反対方向に一体的に往復駆動する往復駆動機構を設け、
前記板材段積み場所で、前記最下段の板材のうちの搬送方向と反対側の部分を受け支える板材受けプレートを前記セット台の上面の近くに設けると共に、前記最下段の板材の保護フィルムのうちの前記板材受けプレートから搬送方向側に突出する部分に前記粘着搬送テープを貼り付け、
前記セット台と前記剥離プレートを前記板材の搬送方向に一定ピッチだけ送り動作することで、該セット台と該剥離プレートと一体的に前記粘着搬送テープを搬送方向に一定ピッチだけ送り、該粘着搬送テープを後戻りさせないように拘束した状態で該セット台と該剥離プレートを元の位置に戻すという定ピッチ送り動作を繰り返して該板材を搬送し、該定ピッチ送り動作を所定回数繰り返すことで、該板材が保護フィルム剥離位置に到達することを特徴とする請求項１乃至４のいずれかに記載の板材保護フィルム剥離装置。
【請求項６】
前記板材段積み場所で、最上段の板材のうちの搬送方向側の部分を上方から押圧する上側押圧手段を設け、
前記最下段の板材の保護フィルムに前記粘着搬送テープを貼り付けて該最下段の板材を前記板材取出口から引き出すときに前記上側押圧手段により該最下段の板材のうちの前記板材受けプレートから搬送方向側に突出する部分を押し下げて前記剥離プレートに当接させ、前記セット台と前記剥離プレートを搬送方向と反対方向に移動させるときに、前記上側押圧手段による押し下げを解除して前記板材段積み場所の最下段の板材を該セット台から浮かせた状態に戻すことを特徴とする請求項５に記載の板材保護フィルム剥離装置。
【請求項７】
前記板材段積み場所で、前記最下段の板材の保護フィルムに前記粘着搬送テープを貼り付けるときに該粘着搬送テープを該最下段の板材の保護フィルムに押し付けて貼り付ける下側押圧手段を設けたことを特徴とする請求項５又は６に記載の板材保護フィルム剥離装置。
【請求項８】
片面に保護フィルムが貼り付けられた板材を段積みした板材段積み場所から該板材を１枚ずつ取り出して搬送し、所定位置で該板材から該保護フィルムを剥離して次工程の装置に供給する板材保護フィルム剥離方法において、
前記板材段積み場所で、前記保護フィルムを下向き又は上向きにして前記板材を段積みすると共に、最下段又は最上段の板材の下向き又は上向きに露出する前記保護フィルムに粘着搬送テープを貼り付け、この粘着搬送テープを搬送方向に駆動することで、前記最下段又は最上段の板材を他の板材から分離して搬送し、
前記粘着搬送テープにより前記板材を所定位置まで搬送したところで該粘着搬送テープを該板材の搬送方向と異なる方向に引っ張ることで、該粘着搬送テープに貼り付いた該保護フィルムを該板材から剥離することを特徴とする板材保護フィルム剥離方法。
【発明の詳細な説明】
【技術分野】
【０００１】
本発明は、片面に保護フィルムが貼り付けられた板材を段積みした板材段積み場所から該板材を１枚ずつ取り出して搬送し、該板材から該保護フィルムを剥離して次工程の装置に供給する板材保護フィルム剥離装置及び板材保護フィルム剥離方法に関するものである。
【背景技術】
【０００２】
例えば、液晶ディスプレイ製造ラインにおいて、液晶セル面に偏光板（偏光フィルタ）を貼り付ける工程では、偏光板の片面に貼り付けられた保護フィルムを取り剥がしてから、該偏光板を液晶セル面に貼り付けるようにしている。この偏光板のような板材の片面に貼り付けられた保護フィルムを剥離する工程を自動化する装置の公知例として、例えば特許文献１（特開２００２−１１４４３８号公報）に記載されたものがある。
【０００３】
このものは、図８に示すように、片面に保護フィルム１１が貼り付けられた多数の板材１２を板材ストックケース１３内に保護フィルム１１を下向きにして段積みし、最下段の板材１２をプッシャ１４で１枚ずつ板材ストックケース１３から押し出して傷付けローラ１５によって保護フィルム１１を傷付けながら、該板材１２を２本の圧着ローラ１６，１７間に送り込み、下側の圧着ローラ１６に掛け渡された粘着テープ１８の粘着面を該板材１２の保護フィルム１１に圧着して貼り付けることで、該板材１２が圧着ローラ１６，１７間を通り抜ける過程で、該板材１２から保護フィルム１１が粘着テープ１８によって剥ぎ取られるようになっている。
【特許文献１】特開２００２−１１４４３８号公報（第１頁等）
【発明の開示】
【発明が解決しようとする課題】
【０００４】
上記特許文献１の構成では、板材１２を板材ストックケース１３から保護フィルム剥離位置（圧着ローラ１６，１７間に挟み込まれる位置）まで移動させる手段としてプッシャ１４を用いているため、プッシャ１４の移動ストロークの大きいプッシャ駆動機構が必要となり、プッシャ駆動機構が大型化するという欠点がある。しかも、板材ストックケース１３から保護フィルム剥離位置（圧着ローラ１６，１７）までの距離がプッシャ１４の移動ストロークによって一義的に決められてしまうため、生産ラインの各工程の装置の配置間隔等に応じて板材ストックケース１３から保護フィルム剥離位置までの距離を変更する必要が生じても、それに対応することが困難であるという欠点もある。
【０００５】
この問題を解消するために、板材ストックケース１３からプッシャ１４で押し出した板材１２を保護フィルム剥離位置（圧着ローラ１６，１７）まで搬送する手段として、新たに搬送装置を設けることが考えられるが、この構成では、新たな搬送装置を必要とするため、製造コストが高くなるという欠点がある。
【０００６】
また、特許文献１の構成では、板材ストックケース１３から押し出した板材１２を傷付けローラ１５と押圧ローラ１９との間に挟み付けて、押圧ローラ１９を板材１２の送り出し方向に回転させながら、傷付けローラ１５を逆方向に回転させることで、保護フィルム１１を傷付けて板材１２から剥離しやすくしているが、この過程で、板材１２の表面が押圧ローラ１９で擦られて傷付いてしまう可能性がある。
【０００７】
本発明はこれらの事情を考慮してなされたものであり、第１の目的は、搬送系・駆動系の構成を簡単化・低コスト化できると共に、板材段積み場所から保護フィルム剥離位置までの距離を比較的容易に変更でき、生産ラインの各工程の装置の配置間隔の違いや板材のサイズ変更等に容易に対応できるようにすることであり、また、第２の目的は、板材の表面を傷付けずに保護フィルムを容易に剥離できるようにすることである。
【課題を解決するための手段】
【０００８】
上記第１の目的を達成するために、請求項１，５に記載の発明は、片面に保護フィルムが貼り付けられた板材を段積みした板材段積み場所から該板材を１枚ずつ取り出して搬送し、所定位置で該板材から該保護フィルムを剥離して次工程の装置に供給するものにおいて、前記板材段積み場所で、前記保護フィルムを下向き（又は上向き）にして前記板材を段積みすると共に、前記保護フィルムが下向き（又は上向き）に露出する最下段（又は最上段）の板材を他の板材から分離して１枚ずつ搬送方向に取り出すための板材取出口を設け、前記板材段積み場所で、前記最下段（又は最上段）の板材の下向き（又は上向き）に露出する前記保護フィルムに粘着搬送テープを貼り付け、この粘着搬送テープを搬送方向に駆動することで、前記最下段（又は最上段）の板材を他の板材から分離して搬送し、前記粘着搬送テープにより前記板材を所定位置まで搬送したところで該粘着搬送テープを該板材の搬送方向と異なる方向に引っ張ることで、該粘着搬送テープに貼り付いた該保護フィルムを該板材から剥離するようにしたものである。
【０００９】
このようにすれば、板材から保護フィルムを剥離する手段（粘着搬送テープ）を、板材を搬送する手段としても使用できるため、これらを別々に設けた従来構成と比較して、搬送系・駆動系の構成を大幅に簡単化できて、板材保護フィルム剥離装置の製造コストを低減することができる。しかも、板材段積み場所から保護フィルム剥離位置までの距離の変更要求に対しても、粘着搬送テープの送り量の調整によって容易に対応できるため、生産ラインの各工程の装置の配置間隔の違いや板材のサイズ変更等にも容易に対応できる。
【００１０】
更に、請求項２のように、前記板材段積み場所の前記最下段（又は最上段）の板材に前記粘着搬送テープを介して剥離プレートを宛がうように設け、該剥離プレートを該板材の搬送方向に一定ピッチだけ送り動作することで、該剥離プレートと一体的に該粘着搬送テープを搬送方向に一定ピッチだけ送り、該粘着搬送テープを後戻りさせないように拘束した状態で該剥離プレートのみを元の位置に戻すという定ピッチ送り動作を繰り返して該板材を搬送し、該定ピッチ送り動作を所定回数繰り返すことで、該板材が保護フィルム剥離位置に到達するように設定すると良い。このようにすれば、板材段積み場所から板材を１枚ずつ保護フィルム剥離位置まで搬送する動作と、保護フィルム剥離位置に到達した板材から保護フィルムを剥離する動作を能率良くスムーズに行うことができる。
【００１１】
この場合、請求項３のように、剥離プレートの送り方向の端部に、粘着搬送テープを板材の搬送方向と異なる方向に引っ張るための剥離エッジ部を形成し、該剥離プレートと一体的に該粘着搬送テープを搬送方向に一定ピッチだけ送った後、該粘着搬送テープを後戻りさせないように拘束した状態で該剥離プレートのみを元の位置に戻すことで、該粘着搬送テープが該剥離エッジ部に沿って折り曲げられるように引っ張られて該板材から前記保護フィルムが該粘着搬送テープと一体的に引き剥がされるように構成すると良い。このようにすれば、剥離プレートの戻り動作を利用して板材から保護フィルムを剥離することができ、剥離プレートの往復動作によって板材の搬送と保護フィルムの剥離とを交互に能率良くスムーズに行うことができる。
【００１２】
更に、前記第２の目的を達成するために、請求項４のように、最下段（又は最上段）の板材の保護フィルムの１つの角部を先頭にして搬送するように該保護フィルムに対して粘着搬送テープを斜め方向に貼り付けるようにすると良い。このようにすれば、板材の保護フィルムの１つの角部が最初に保護フィルム剥離位置に到達し、保護フィルムが１つの角部から剥離されるようになる。これにより、保護フィルムを最も剥がしやすい部分（つまり粘着面積・粘着力が最も小さい部分）から剥がすことができ、保護フィルムを容易に剥離できる。しかも、板材の表面を押圧ローラ等で強く押さえ付ける必要がなくなり、板材の表面を傷付けずに済む。
【００１３】
本発明を実施するための最良の形態の一例としては、板材段積み場所で、保護フィルムを下向きにして板材を段積みし、セット台と剥離プレートとを搬送方向に並べて両者の上面が同一高さとなるように設置すると共に、これらセット台と剥離プレートを搬送方向とその反対方向に一体的に往復駆動する往復駆動機構を設け、前記セット台と前記剥離プレートを前記板材の搬送方向に一定ピッチだけ送り動作することで、該セット台と該剥離プレートと一体的に前記粘着搬送テープを搬送方向に一定ピッチだけ送り、該粘着搬送テープを後戻りさせないように拘束した状態で該セット台と該剥離プレートを元の位置に戻すという定ピッチ送り動作を繰り返して該板材を搬送し、該定ピッチ送り動作を所定回数繰り返すことで、該板材が保護フィルム剥離位置に到達するようにすると良い。
【００１４】
この構成において、板材段積み場所で、セット台上に最下段の板材が載置された状態になっていると、定ピッチ送り動作により最下段の板材が２枚目以降の板材から引き出された後は、２枚目の板材が新たに最下段の板材となってセット台に載置された状態となる。この状態で、定ピッチ送り動作によりセット台を搬送方向に移動させ続けると、２枚目の板材もセット台との摩擦力により引きずり出される可能性がある。このような現象が発生すると、搬送する板材間のピッチが一定でなくなり、保護フィルムの剥離動作を正常に行えなくなってしまう。
【００１５】
この対策として、請求項５のように、板材段積み場所で、最下段の板材のうちの搬送方向と反対側の部分を受け支える板材受けプレートをセット台の上面の近くに設けると共に、最下段の板材の保護フィルムのうちの前記板材受けプレートから搬送方向側に突出する部分に粘着搬送テープを貼り付けるようにすると良い。このようにすれば、定ピッチ送り動作により最下段の板材が板材取出口から引き出された後に、２枚目以降の板材の荷重の少なくとも一部を板材受けプレートで受け支えることができて、２枚目の板材とセット台との間の摩擦力を軽減する（又は０にする）ことができ、２枚目の板材がセット台との摩擦力により引きずり出されることを防止することができ、搬送する板材間のピッチを一定に保つことができる。しかも、摩擦力軽減の効果によってセット台の駆動力を軽減できるという利点もある。
【００１６】
この場合、請求項６のように、前記板材段積み場所で、最上段の板材のうちの搬送方向側の部分を上方から押圧する上側押圧手段を設け、最下段の板材の保護フィルムに粘着搬送テープを貼り付けて該最下段の板材を前記板材取出口から引き出すときに前記上側押圧手段により該最下段の板材のうちの前記板材受けプレートから搬送方向側に突出する部分を押し下げて前記剥離プレートに当接させ、前記セット台と前記剥離プレートを搬送方向と反対方向に移動させるときに、前記上側押圧手段による押し下げを解除して前記板材段積み場所の最下段の板材を該セット台から浮かせた状態に戻すようにすると良い。このようにすれば、セット台を搬送方向と反対方向に移動させるときに、板材段積み場所の最下段の板材がセット台との摩擦力により搬送方向と反対方向に引きずられることを防止することができ、板材段積み場所の最下段の板材の位置ずれを防止できる。
【００１７】
また、請求項７のように、板材段積み場所で、最下段の板材の保護フィルムに粘着搬送テープを貼り付けるときに該粘着搬送テープを該最下段の板材の保護フィルムに押し付けて貼り付ける下側押圧手段を設けるようにすると良い。このようにすれば、板材段積み場所で、最下段の板材の保護フィルムが剥離プレート上の粘着搬送テープに密着した状態にならなくても、下側押圧手段によって粘着搬送テープを最下段の板材の保護フィルムに確実に貼り付けることができる。
【発明を実施するための最良の形態】
【００１８】
以下、本発明を液晶ディスプレイ製造ラインに適用した２つの実施例１，２を図面に基づいて説明する。
【実施例１】
【００１９】
まず、本実施例１の偏光板保護フィルム剥離装置（板材保護フィルム剥離装置）の構成を図１乃至図６に基づいて説明する。セット台２１上の搬送方向（図１において右方向）側の所定位置には、偏光板受けプレート２０（板材受けプレート）が該セット台２１の上面の近くにほぼ水平に設けられている。この偏光板受けプレート２０上には、片面に保護フィルム２２（図５参照）が貼り付けられた多数の偏光板２３が保護フィルム２２を下向きにして段積みされ、その段積み状態において、偏光板２３の搬送方向側の部分が偏光板受けプレート２０から搬送方向に突出した状態となっている。後述するように、セット台２１が搬送方向に移動しても、偏光板受けプレート２０は偏光板段積み場所にとどまるようになっている。また、偏光板受けプレート２０は、後述する上側エアシリンダ３５の押し下げ力によってセット台２１側に近付くように弾性変形するように形成されている。
【００２０】
この偏光板受けプレート２０上に段積みされた偏光板２３は、１つの角部を先頭にして搬送されるように搬送方向に対して斜め方向に配置され（図６参照）、先頭となる角部の位置が位置決め部材２４によって位置決めされている。この位置決め部材２４と偏光板受けプレート２０との間には、最下段の偏光板２３の保護フィルム２２のうちの搬送方向側の部分に後述する粘着搬送テープ２６を貼り付けるためのスペースが設けられている。
【００２１】
セット台２１は、正逆回転可能な送りねじ機構等の直線往復駆動機構２５によって偏光板２３の搬送方向（図１において右方向）とその反対方向（戻り方向）に往復駆動されるようになっている。このセット台２１の搬送方向前方には、後述する粘着搬送テープ２６を搬送方向に沿って水平に受け支持する剥離プレート２７がセット台２１と一体的に設けられ、これらセット台２１と剥離プレート２７が直線往復駆動機構２５によって搬送方向とその反対方向に一体的に往復駆動されるようになっている。セット台２１と剥離プレート２７は、両者の上面が同一高さの水平面となるように設置され、セット台２１と剥離プレート２７との間には、その下方から剥離プレート２７の上面側に粘着搬送テープ２６を引き出すためのテープ引出口２８が設けられている。
【００２２】
セット台２１の下方には、粘着搬送テープ２６を巻回したテープ供給ロール２９が回転可能に設けられ、このテープ供給ロール２９から引き出された粘着搬送テープ２６がテープ引出口２８から剥離プレート２７の上面側に粘着面を上向きにして引き出されている。      
【００２３】
図１に示すように、セット台２１と剥離プレート２７が戻り方向の限界位置まで戻った状態では、偏光板受けプレート２０上に段積みされた偏光板２３の搬送方向側の部分が偏光板受けプレート２０から剥離プレート２７上に突出して、最下段の偏光板２３の下面に貼り付けられた保護フィルム２２のうちの搬送方向側の部分が剥離プレート２７上に支持された粘着搬送テープ２６の粘着面に貼り付いた状態となる。この状態で、位置決め部材２４の下端と剥離プレート２７上の粘着搬送テープ２６との間には、偏光板２３の１枚分の厚みよりも大きく２枚分の厚みよりも小さい隙間が偏光板取出口３０（板材取出口）として形成され、粘着搬送テープ２６の送り動作によって最下段の偏光板２３が他の偏光板２３から分離されて偏光板取出口３０から１枚ずつ引き出されるようになっている。
【００２４】
剥離プレート２７のテープ引出口２８近傍の下面側には、下側エアシリンダ３１（下側押圧手段）が上向きに設けられ、この下側エアシリンダ３１から上方に突出するプッシャ３３が剥離プレート２７の貫通孔３４を通して粘着搬送テープ２６を最下段の偏光板２３下面の保護フィルム２２に押し付けて両者を確実に貼り合わせるようにしている。最上段の偏光板２３のうちの搬送方向側の部分の上方には、上側エアシリンダ３５（上側押圧手段）が下向きに設けられ、この上側エアシリンダ３５から下方に突出するプッシャ３７が最上段の偏光板２３のうちの搬送方向側の部分を上方から押さえ付けることで、偏光板受けプレート２０をセット台２１側に近付けるように弾性変形させながら、最下段の偏光板２３のうちの偏光板受けプレート２０から搬送方向側に突出する部分を押し下げて剥離プレート２７の上面に当接させるようにしている。
【００２５】
一方、剥離プレート２７の送り方向の端部には、粘着搬送テープ２６を偏光板２３の搬送方向と異なる方向に折り曲げるための剥離エッジ部３９が形成されている。この剥離エッジ部３９による粘着搬送テープ２６の折り曲げ角度は、急角度になるほど、偏光板２３から保護フィルム２２を剥離しやすくなるため、９０°以上、好ましくは１２０°以上に設定すると良い。尚、偏光板２３と保護フィルム２２との貼着力が比較的弱い場合は、剥離エッジ部３９による粘着搬送テープ２６の折り曲げ角度が９０°以下であっても、偏光板２３から保護フィルム２２を容易に剥離できる場合がある。
【００２６】
剥離プレート２７の剥離エッジ部３９近傍の下面側には、剥離エッジ部３９の斜面に沿って引き出された粘着搬送テープ２６が掛け渡される第１のローラ４０が設けられている。更に、剥離プレート２７の下面側には、第１のローラ４０に対向して第１のテープ固定用エアシリンダ４１が設けられている。そして、このエアシリンダ４１のプッシャ４２を突出させて、このプッシャ４２と第１のローラ４０との間に粘着搬送テープ２６を挟み付けた状態にすると、粘着搬送テープ２６が第１のローラ４０の位置で固定され、該エアシリンダ４１のプッシャ４２を引っ込めて第１のローラ４０から離すと、第１のテープ固定用エアシリンダ４１による粘着搬送テープ２６の固定が解除されるようになっている。第１のローラ４０と第１のテープ固定用エアシリンダ４１は、剥離プレート２７と一体的に移動するようになっている。
【００２７】
第１のローラ４０から搬送方向に所定距離離れた位置に、粘着搬送テープ２６が掛け渡される第２のローラ４３が設けられ、このローラ４３に対向して第２のテープ固定用エアシリンダ４４が設けられている。そして、このエアシリンダ４４のプッシャ４５を突出させて、このプッシャ４５と第２のローラ４３との間に粘着搬送テープ２６を挟み付けた状態にすると、粘着搬送テープ２６が第２のローラ４３の位置で固定され、該エアシリンダ４４のプッシャ４５を引っ込めて第２のローラ４３から離すと、第２のテープ固定用エアシリンダ４４による粘着搬送テープ２６の固定が解除されるようになっている。第２のローラ４３と第２のテープ固定用エアシリンダ４４は、一定位置に固定され、剥離プレート２７が移動しても、移動しない。
【００２８】
第１のローラ４０と第２のローラ４３に掛け渡された粘着搬送テープ２６は、上下動可能な可動ローラ４６に掛け渡され、巻取ロール４７に巻き取られる。巻取ロール４７は、モータ４８によって巻取方向に回転駆動される。可動ローラ４６は、粘着搬送テープ２６を上方から押さえ付けてテンションをかけ、粘着搬送テープ２６の弛みを取り除くようにしている。
【００２９】
本実施例１では、図６に示すように、粘着搬送テープ２６の幅は、偏光板２３の短辺よりも狭くなっているが、粘着搬送テープ２６の幅を広くしても良いことは言うまでもない。要は、偏光板２３の搬送と保護フィルム２２の剥離に必要な粘着力を確保できるように粘着搬送テープ２６の幅を設定すれば良い。粘着搬送テープ２６の位置は、偏光板２３の搬送方向の先頭となる角部が粘着搬送テープ２６の中心線にほぼ一致するように配置することが望ましい。この位置は多少ずれても良く、要は、偏光板２３の搬送方向の先頭となる角部が粘着搬送テープ２６の幅内に入っていれば良い。
【００３０】
以上のように構成した偏光板保護フィルム剥離装置の動作を説明する。ここで、図１は、セット台２１と剥離プレート２７を搬送方向に移動させる前（以下「送り動作開始前」という）の状態を示し、図２は、セット台２１と剥離プレート２７を搬送方向の限界位置まで移動させたとき（以下「送り動作終了時」という）の状態を示し、図３は、セット台２１と剥離プレート２７を戻り方向の限界位置まで戻したとき（以下「戻し動作終了時」という）の状態を示している。
【００３１】
図１に示す送り動作開始前には、上側エアシリンダ３５を圧縮エアで作動させて、プッシャ３７を下方に突出させることで、最上段の偏光板２３のうちの搬送方向側の部分を上方から押さえ付けて、偏光板受けプレート２０をセット台２１側に近付けるように弾性変形させながら、最下段の偏光板２３のうちの偏光板受けプレート２０から搬送方向側に突出する部分を押し下げて剥離プレート２７の上面に当接させた状態にする。そして、下側のエアシリンダ３１を圧縮エアで作動させて、プッシャ３３を上方に突出させることで、剥離プレート２７上の粘着搬送テープ２６を最下段の偏光板２３下面の保護フィルム２２のうちの偏光板受けプレート２０から突出する部分に押し付けて両者を確実に貼り合わせた状態にする。更に、第１のテープ固定用エアシリンダ４１を圧縮エアで作動させて、プッシャ４２を突出させることで、該プッシャ４２と第１のローラ４０との間に粘着搬送テープ２６を挟み付けて、粘着搬送テープ２６を第１のローラ４０の位置で固定する。
【００３２】
この後、下側エアシリンダ３１の圧を抜いてプッシャ３３を下降させた後、図２に示すように、直線往復駆動機構２５を搬送方向に駆動して、セット台２１と剥離プレート２７を搬送方向に一体的に移動させる。このとき、剥離プレート２７上の粘着搬送テープ２６は、剥離エッジ部３９側で第１のテープ固定用エアシリンダ４１によって固定されているため、剥離プレート２７が搬送方向に移動すると、これと一体的に剥離プレート２７上の粘着搬送テープ２６が搬送方向に送られる。この粘着搬送テープ２６の送り動作によって最下段の偏光板２３が他の偏光板２３から分離されて偏光板取出口３０から１枚だけ引き出される。１回の送り動作によって、最下段の偏光板２３が偏光板取出口３０から完全に引き出された位置まで搬送される。
【００３３】
剥離プレート２７の搬送方向への移動により、第１のローラ４０が第２のローラ４３に接近するのに伴って、可動ローラ４６が下降することで、第１のローラ４０と第２のローラ４３とに掛け渡された粘着搬送テープ２６の弛みが取り除かれる。そして、可動ローラ４６が下限位置まで下降したことがセンサやスイッチ等で検出されると、モータ４８が起動されて巻取ロール４７が回転駆動され、粘着搬送テープ２６が巻取ロール４７に巻き取られ、その巻き取り動作に伴って可動ローラ４６が上昇する。その後、可動ローラ４６が上限位置まで上昇したことがセンサやスイッチ等で検出されると、モータ４８が停止して粘着搬送テープ２６の巻き取り動作が終了する。
【００３４】
図２に示すように、セット台２１と剥離プレート２７が搬送方向の限界位置まで移動すると、１回の送り動作が終了し、第２のテープ固定用エアシリンダ４４を圧縮エアで作動させて、プッシャ４５を突出させることで、該プッシャ４５と第２のローラ４３との間に粘着搬送テープ２６を挟み付けて、粘着搬送テープ２６を第２のローラ４３の位置で固定する。そして、第１のテープ固定用エアシリンダ４１の圧を抜いて、第１のテープ固定用エアシリンダ４１による粘着搬送テープ２６の固定を解除する。
【００３５】
この後、上側エアシリンダ３５の圧を抜いて、上側エアシリンダ３５による押し下げを解除して、偏光板受けプレート２０上に段積みした偏光板２３を、該偏光板受けプレート２０の弾性力により持ち上げて、最下段の偏光板２３をセット台２１から浮かせた状態に戻す。その後、図３に示すように、直線往復駆動機構２５によってセット台２１と剥離プレート２７を戻り方向の限界位置まで戻す。このとき、第２のテープ固定用エアシリンダ４４によって粘着搬送テープ２６が固定されているため、剥離プレート２７が戻り方向に移動しても、該剥離プレート２７上の粘着搬送テープ２６は戻り方向に移動せず、該粘着搬送テープ２６で搬送された偏光板２３が剥離プレート２７と一緒に後戻りすることはない。
【００３６】
以上説明した動作によって１回の定ピッチ送り動作を行って、偏光板２３を一定ピッチだけ搬送する。この定ピッチ送り動作を所定回数繰り返すことで、偏光板２３が保護フィルム剥離位置に到達する。図１〜図４の構成例では、２回の定ピッチ送り動作で偏光板２３が保護フィルム剥離位置に到達する。図６は、４回の定ピッチ送り動作で偏光板２３が保護フィルム剥離位置に到達する例を示している。尚、１回の定ピッチ送り動作で偏光板２３が保護フィルム剥離位置に到達するようにしても良いことは言うまでもない。
【００３７】
図４に示すように、偏光板２３が保護フィルム剥離位置（剥離エッジ部３９）に到達すると、剥離プレート２７が戻り方向に移動する際に、第２のテープ固定用エアシリンダ４４によって粘着搬送テープ２６と偏光板２３が後戻りしないように拘束された状態で、剥離プレート２７のみが戻り方向に移動するため、図５に示すように、剥離プレート２７が戻り方向に移動して、剥離エッジ部３９が偏光板２３の下面に沿って戻り方向に移動する過程で、偏光板２３下面の保護フィルム２２に貼り付いた粘着搬送テープ２６が、剥離エッジ部３９に沿って折り曲げられるように引っ張られて偏光板２３の下面から保護フィルム２２と一体的に引き剥がされる。この保護フィルム２２は、最終的には、粘着搬送テープ２６と一緒に巻取ロール４７に巻き取られる。
【００３８】
本実施例１では、偏光板２３を１つの角部を先頭にして搬送するようにしているので、偏光板２３の１つの角部が最初に保護フィルム剥離位置（剥離エッジ部３９）に到達し、保護フィルム２２が１つの角部から剥離されるようになる。これにより、保護フィルム２２を最も剥がしやすい部分（つまり粘着面積・粘着力が最も小さい部分）から剥がすことができ、保護フィルム２２を容易に剥離できる。しかも、偏光板２３の表面を押圧ローラ等で強く押さえ付ける必要がなくなり、偏光板２３の表面を傷付けずに済む。このようにして保護フィルム２２が剥離された偏光板２３は、次工程の装置（図示せず）に供給される。
【００３９】
また、本実施例１では、偏光板取出口３０から保護フィルム剥離位置（剥離エッジ部３９）までの距離が所定回数の定ピッチ送り動作による搬送量と同じ量に設定されている。このため、偏光板取出口３０から偏光板２３を１枚ずつ引き出して保護フィルム剥離位置まで搬送する動作と、保護フィルム剥離位置に到達した偏光板２３から保護フィルム２２を剥離する動作を能率良くスムーズに行うことができる。
【００４０】
この場合、偏光板取出口３０から保護フィルム剥離位置までの距離を変更する場合は、剥離プレート２７の搬送方向長さ又は定ピッチ送り動作の送りピッチを変更し、送り動作終了時の剥離プレート２７の剥離エッジ部３９の位置が目標とする保護フィルム剥離位置に到達するように設定すれば良い。
【００４１】
また、偏光板２３のサイズを変更する場合、剥離プレート２７（粘着搬送テープ２６）上で前後２枚の偏光板２３が干渉しない程度の小さなサイズ変更であれば、定ピッチ送り動作の送りピッチを変更する必要がないが、大きなサイズ変更の場合は、定ピッチ送り動作の送りピッチを変更する必要がある。この場合は、次のデータ(1) 〜(5) を使用して定ピッチ送り動作の送りピッチを算出すれば良い。
【００４２】
(1) 偏光板２３の短辺長さ
(2) 偏光板２３の長辺長さ
(3) 偏光板２３の粘着搬送テープ２６の送り方向（搬送方向）に対する傾斜角度
(4) 偏光板取出口３０から保護フィルム剥離位置までの距離
(5) 剥離プレート２７（粘着搬送テープ２６）上における前後２枚の偏光板２３間の最低隙間
【００４３】
ここで、(1) と(2) は、偏光板２３に固有のデータであり、(3) 〜(5) は、偏光板保護フィルム剥離装置に固有のデータである。予め、様々なサイズの偏光板２３についてデータ(1) 〜(5) を用いて定ピッチ送り動作の送りピッチを算出して、偏光板保護フィルム剥離装置の制御部（図示せず）のメモリに記憶しておき、偏光板２３のサイズ変更時に、メモリから送りピッチのデータを読み出すようにすれば、サイズ変更時の段取り時間を大幅に短縮することができ、生産性を向上させることができる。勿論、偏光板２３のサイズ変更時に、作業者が送りピッチを算出して、このデータを手動操作で制御装置に入力するようにしても良いことは言うまでもない。
【００４４】
以上説明した本実施例１では、偏光板２３から保護フィルム２２を剥離する手段（粘着搬送テープ２６）を、偏光板２３を搬送する手段としても使用できるため、これらを別々に設けた従来構成と比較して、搬送系・駆動系の構成を大幅に簡単化できて、板材保護フィルム剥離装置の製造コストを低減することができる。しかも、偏光板２３のサイズ変更に対して、定ピッチ送り動作の送りピッチの変更によって容易に対応できると共に、偏光板取出口３０から保護フィルム剥離位置までの距離の変更要求に対しても、剥離プレート２７の送りピッチの調整又は剥離プレート２７の搬送方向長さの変更によって容易に対応でき、生産現場における様々な装置据付環境（生産ラインの各工程の装置の配置間隔等）にも柔軟に対応できる。
【００４５】
しかも、本実施例１では、偏光板受けプレート２０をセット台２１の上面の近くにほぼ水平に設け、この偏光板受けプレート２０上に偏光板２３を段積みするようにしたので、定ピッチ送り動作により最下段の偏光板２３が板材取出口３０から引き出された後に、２枚目以降の偏光板２３の荷重の少なくとも一部を偏光板受けプレート２０で受け支えることができて、２枚目の偏光板２３とセット台２１との間の摩擦力を軽減する（又は０にする）ことができ、２枚目の偏光板２３がセット台２１との摩擦力により引きずり出されることを防止することができ、搬送する偏光板２３間のピッチを一定に保つことができる。これにより、保護フィルム２２の剥離動作ミスの発生を未然に防止でき、偏光板保護フィルム剥離装置の稼働率を高めることができる。しかも、摩擦力軽減の効果によってセット台２１の駆動力を軽減できるという利点もある。
【００４６】
更に、本実施例１では、偏光板段積み場所で、最上段の偏光板２３のうちの搬送方向側の部分を上方から押圧する上側エアシリンダ３５を設け、最下段の偏光板２３の保護フィルム２２に粘着搬送テープ２６を貼り付けて該最下段の偏光板２３を板材取出口３０から引き出すときに、上側エアシリンダ３５により該最下段の偏光板２３のうちの偏光板受けプレート２０から搬送方向側に突出する部分を押し下げて剥離プレート２７の上面に当接させ、セット台２１と剥離プレート２７を搬送方向と反対方向に移動させるときに、前記上側エアシリンダ３５による押し下げを解除して偏光板段積み場所の最下段の偏光板２３を該セット台２１から浮かせた状態に戻すようにしたので、セット台２１を搬送方向と反対方向に移動させるときに、板材段積み場所の最下段の偏光板２３がセット台２１との摩擦力により搬送方向と反対方向に引きずられることを防止することができ、板材段積み場所の最下段の偏光板の位置ずれを防止できる。
【００４７】
また、本実施例１では、偏光板段積み場所で、最下段の偏光板２３の保護フィルム２２に粘着搬送テープ２６を貼り付けるときに、該粘着搬送テープ２６を該最下段の偏光板２３の保護フィルム２２に押し付けて貼り付ける下側エアシリンダ３１を設けるようにしたので、偏光板段積み場所で、最下段の偏光板２３の保護フィルム２２が剥離プレート２７上の粘着搬送テープ２６に密着した状態にならなくても、下側エアシリンダ３１によって粘着搬送テープ２６を最下段の偏光板２３の保護フィルム２２に確実に貼り付けることができる。
【実施例２】
【００４８】
上記実施例１では、偏光板２３を保護フィルム２２を下向きにして段積みし、その最下段の偏光板２３を他の偏光板２３から分離して１枚ずつ引き出すようにしたが、図７に示す本発明の実施例２では、偏光板２３を保護フィルム２２を上向きにして段積みし、その最上段の偏光板２３を他の偏光板２３から分離して１枚ずつ引き出すようにしたところに特徴がある。
【００４９】
以下、本実施例２の具体的構成を説明する。中間停止機能付きのエアシリンダ５１に上下動されるセット台５２上に、偏光板２３が保護フィルムを上向きにして段積みされている。尚、エアシリンダ５１に代えて、位置決め可能なモータを駆動源とする昇降機構を用いても良い。偏光板２３は、１つの角部を先頭にして搬送されるように搬送方向に対して斜め方向に段積みされ、先頭となる角部の位置が位置決め部材５３によって位置決めされている。
【００５０】
最上段の偏光板２３の上方には、搬送プレート５４と剥離プレート５５が配置され、これら両プレート５４，５５に最上段の偏光板２３が突き当てられることで、最上段の偏光板２３の高さ位置が一定位置に保持されるようになっている。搬送プレート５４は、正逆回転可能な送りねじ機構等の直線往復駆動機構５６によって偏光板２３の搬送方向（図７において右方向）とその反対方向（戻り方向）に往復駆動されるようになっている。この搬送プレート５４と剥離プレート５５は、両者の下面が同一高さの水平面となるように支持され、搬送プレート５４と剥離プレート５５との間には、その上方から剥離プレート５５の下面側に粘着搬送テープ２６を引き出すためのテープ引出口５７が設けられている。      
【００５１】
搬送プレート５４の上方には、粘着搬送テープ２６を巻回したテープ供給ロール５８が回転可能に設けられ、このテープ供給ロール５８から引き出された粘着搬送テープ２６がテープ引出口５７から剥離プレート５５の下面側に粘着面を下向きにして引き出されている。
【００５２】
搬送プレート５４と剥離プレート５５が戻り方向の限界位置まで戻った状態では、位置決め部材５３に沿って段積みされた偏光板２３が搬送プレート５４と剥離プレート５５とに跨がって当接し、最上段の偏光板２３の上面に貼り付けられた保護フィルムのうちの搬送方向側の部分が剥離プレート５５の下面側に引き出された粘着搬送テープ２６の粘着面に密着して貼り合わされた状態となっている。この状態で、位置決め部材５３の上端と剥離プレート５５の下面との間には、偏光板２３の１枚分の厚みよりも大きく２枚分の厚みよりも小さい隙間が偏光板取出口５９（板材取出口）として形成され、粘着搬送テープ２６の送り動作によって最上段の偏光板２３が他の偏光板２３から分離されて偏光板取出口５９から１枚ずつ引き出されるようになっている。
【００５３】
剥離プレート５５の送り方向の端部には、粘着搬送テープ２６を偏光板２３の搬送方向と異なる方向に折り曲げるるように引っ張るための剥離エッジ部６０が前記実施例１と同様の形状に形成されている。
【００５４】
剥離プレート５５の上面側には、剥離エッジ部６０の斜面に沿って引き出された粘着搬送テープ２６が掛け渡される第１のローラ６１が設けられ、このローラ６１に対向して第１のテープ固定用エアシリンダ６２が設けられている。これら第１のローラ６１と第１のテープ固定用エアシリンダ６２は、剥離プレート５５と一体的に移動するようになっている。
【００５５】
第１のローラ６１から搬送方向に所定距離離れた位置に、粘着搬送テープ２６が掛け渡される第２のローラ６４が設けられ、このローラ６４に対向して第２のテープ固定用エアシリンダ６５が設けられている。
【００５６】
第１のローラ６１と第２のローラ６４に掛け渡された粘着搬送テープ２６は、上下動可能な可動ローラ６７に掛け渡され、巻取ロール６８に巻き取られる。この巻取ロール６８は、モータ６９によって巻取方向に回転駆動される。可動ローラ６７の動作は、前記実施例１と同じである。
【００５７】
以上のように構成した本実施例２の偏光板保護フィルム剥離装置の動作を説明する。図７は、送り動作開始前の状態を示している。この状態では、セット台５２上に段積みされた偏光板２３が搬送プレート５４と剥離プレート５５とに跨がって当接し、最上段の偏光板２３の上面に貼り付けられた保護フィルムのうちの搬送方向側の部分が剥離プレート５５の下面側に引き出された粘着搬送テープ２６の粘着面に密着して貼り合わされた状態となっている。そして、第１のテープ固定用エアシリンダ６２を圧縮エアで作動させて、プッシャ６３を突出させることで、該プッシャ６３と第１のローラ６１との間に粘着搬送テープ２６を挟み付けて、粘着搬送テープ２６を第１のローラ６１の位置で固定する。
【００５８】
この後、直線往復駆動機構５６を搬送方向に駆動して、搬送プレート５４と剥離プレート５５を搬送方向に一体的に移動させる。このとき、剥離プレート５５下面の粘着搬送テープ２６は、剥離プレート５５上の第１のローラ６１の位置で第１のテープ固定用エアシリンダ６２によって固定されているため、剥離プレート５５が搬送方向に移動すると、これと一体的に剥離プレート５５下面の粘着搬送テープ２６が搬送方向に送られる。この粘着搬送テープ２６の送り動作によって最上段の偏光板２３が他の偏光板２３から分離されて偏光板取出口５９から１枚だけ引き出される。
【００５９】
剥離プレート５５の搬送方向への移動により、第１のローラ６１が第２のローラ６４に接近するのに伴って、可動ローラ６７が下降することで、第１のローラ６１と第２のローラ６４とに掛け渡された粘着搬送テープ２６の弛みが取り除かれる。
【００６０】
搬送プレート５４と剥離プレート５５が搬送方向の限界位置まで移動すると、送り動作が終了し、第２のテープ固定用エアシリンダ６５を圧縮エアで作動させて、プッシャ６６を突出させることで、該プッシャ６６と第２のローラ６４との間に粘着搬送テープ２６を挟み付けて、粘着搬送テープ２６を第２のローラ６４の位置で固定する。そして、第１のテープ固定用エアシリンダ６２の圧を抜いて、第１のテープ固定用エアシリンダ６２による粘着搬送テープ２６の固定を解除する。
【００６１】
この後、直線往復駆動機構５６によって搬送プレート５４と剥離プレート５５を戻り方向の限界位置まで戻す。このとき、第２のテープ固定用エアシリンダ６５によって粘着搬送テープ２６が固定されているため、剥離プレート５５が戻り方向に移動しても、該剥離プレート５５下面側の粘着搬送テープ２６は戻り方向に移動せず、該粘着搬送テープ２６で搬送された偏光板２３が剥離プレート５５と一緒に後戻りすることはない。
【００６２】
以上説明した動作によって１回の定ピッチ送り動作を行って、偏光板２３を一定ピッチだけ搬送する。この定ピッチ送り動作を所定回数繰り返すことで、偏光板２３が保護フィルム剥離位置（剥離エッジ部６０）に到達する。偏光板２３が保護フィルム剥離位置（剥離エッジ部６０）に到達すると、剥離プレート５５が戻り方向に移動する際に、第２のテープ固定用エアシリンダ６５によって粘着搬送テープ２６と偏光板２３が後戻りしないように拘束された状態で、剥離プレート５５のみが戻り方向に移動するため、剥離プレート５５が戻り方向に移動して、剥離エッジ部６０が偏光板２３の上面に沿って戻り方向に移動する過程で、偏光板２３上面の保護フィルム２２に貼り付いた粘着搬送テープ２６が、剥離エッジ部６０に沿って折り曲げられるように引っ張られて偏光板２３の上面から保護フィルム２２と一体的に引き剥がされる。この保護フィルム２２は、最終的には、粘着搬送テープ２６と一緒に巻取ロール６８に巻き取られる。
【００６３】
以上説明した本実施例２においても前記実施例１と同様の効果を得ることができる。
尚、本発明は、偏光板２３以外の各種の板材から保護フィルムを剥離する場合に適用して実施できることは言うまでもない。
【図面の簡単な説明】
【００６４】
【図１】実施例１の偏光板保護フィルム剥離装置の送り動作開始前の状態示す図である。
【図２】実施例１の偏光板保護フィルム剥離装置の送り動作終了時の状態を示す図である。
【図３】実施例１の偏光板保護フィルム剥離装置の戻し動作終了時の状態を示す図である。
【図４】実施例１の偏光板が保護フィルム剥離位置まで搬送された状態を示す図である。
【図５】実施例１の偏光板下面の保護フィルムを粘着搬送テープによって剥離する動作を説明する部分拡大図である。
【図６】実施例１の定ピッチ送り動作を説明する部分拡大図である。
【図７】実施例２の偏光板保護フィルム剥離装置の送り動作開始前の状態を示す図である。
【図８】従来の板材保護フィルム剥離装置の構成例を示す図である。
【符号の説明】
【００６５】
２０…偏光板受けプレート（板材受けプレート）、２１…セット台、２２…保護フィルム、２３…偏光板（板材）、２４…位置決め部材、２５…直線往復駆動機構、２６…粘着搬送テープ、２７…剥離プレート、２９…テープ供給ロール、３０…偏光板取出口（板材取出口）、３１…下側シリンダ（下側押圧手段）、３５…上側シリンダ（上側押圧手段）、３９…剥離エッジ部、４０…第１のローラ、４１…第１のテープ固定用エアシリンダ、４３…第２のローラ、４４…第２のテープ固定用エアシリンダ、４６…可動ローラ、４７…巻取ロール、４８…モータ、５１…エアシリンダ、５２…セット台、５３…位置決め部材、５４…搬送プレート、５５…剥離プレート、５６…直線往復駆動機構、５８…テープ供給ロール、５９…偏光板取出口（板材取出口）、６０…剥離エッジ部、６１…第１のローラ、６２…第１のテープ固定用エアシリンダ、６４…第２のローラ、６５…第２のテープ固定用エアシリンダ、６７…可動ローラ、６８…巻取ロール、６９…モータ
【図１】
2006298502.tif 000003
【図２】
2006298502.tif 000004
【図３】
2006298502.tif 000005
【図４】
2006298502.tif 000006
【図５】
2006298502.tif 000007
【図６】
2006298502.tif 000008
【図７】
2006298502.tif 000009
【図８】
2006298502.tif 000010